(57)【要約】【課題】省電力設定が行われる際に省電力の効果を予め確認することが可能な画像処理装置および電力管理装置を提供する。【解決手段】画像形成装置２０は、印刷装置２１、ＵＩ装置２２、画像読取装置２３および制御装置２４を備えている。制御装置２４は、デバイスごとの状態遷移の状況が記録されるログを生成するログ生成部３１と、ログ生成部３１により生成されたログを用いて演算を行う演算部３２と、各種のデータを送受信するネットワーク制御部３３と、ログや各種のデータ、計算式、計算結果等を格納する格納部３４と、を備えている。ログ生成部３１は、印刷装置用ログ生成部４１と、ＵＩ装置用ログ生成部４２と、画像読取装置用ログ生成部４３と、制御装置用ログ生成部４４と、を備えている。【選択図】図２
2010041529.tif 000002
【特許請求の範囲】
【請求項１】
第１の機能を実現する構成を備え、電力を消費して当該第１の機能を実現する動作状態を含む複数の動作状態を有し、当該複数の動作状態の遷移によって消費電力が増減する第１の機能部と、
第２の機能を実現する構成を備え、電力を消費して当該第２の機能を実現する動作状態を含む複数の動作状態を有し、当該複数の動作状態の遷移によって消費電力が増減する第２の機能部と、
前記第１の機能部について前記複数の動作状態のいずれかに遷移した履歴を示す履歴情報を生成する第１の生成部と、
前記第２の機能部について前記複数の動作状態のいずれかに遷移した履歴を示す履歴情報を生成する第２の生成部と、
前記第１の機能部の前記複数の動作状態での消費電力の情報と前記第１の生成部により生成された前記履歴情報とを取得して当該第１の機能部の消費電力量を演算し、前記第２の機能部の前記複数の動作状態での消費電力の情報と前記第２の生成部により生成された前記履歴情報とを取得して当該第２の機能部の消費電力量を演算する演算部と、
を含む画像処理装置。
【請求項２】
前記第１の機能部と前記第２の機能部とが互いに連動して動作することになる指示である第１の動作指示および、当該第１の機能部が単独で動作することになる指示である第２の動作指示を取得する取得部を更に含み、
前記演算部は、前記第１の機能部が前記第１の動作指示および前記第２の動作指示により動作して消費した消費電力量を演算し、前記第２の機能部が当該第１の動作指示により動作して消費した消費電力量を演算することを特徴とする請求項１に記載の画像処理装置。
【請求項３】
前記第１の機能部および前記第２の機能部の前記複数の動作状態のいずれかに遷移する時期に関する設定の変更を受け付ける受付部を更に含み、
前記演算部は、前記受付部で受け付けた前記設定の条件下での消費電力量を、前記履歴情報を用いて予測値として演算することを特徴とする請求項１または２に記載の画像処理装置。
【請求項４】
前記設定の条件下での前記消費電力量を、当該設定の前の条件下での当該消費電力量と共に出力する出力部を更に含むことを特徴とする請求項３に記載の画像処理装置。
【請求項５】
消費電力量が互いに異なる複数の動作状態を有する第１の機能部について当該複数の動作状態のいずれに遷移したかの履歴を示す履歴情報を生成する第１の生成手段と、
消費電力量が互いに異なる複数の動作状態を有する第２の機能部について当該複数の動作状態のいずれに遷移したかの履歴を示す履歴情報を生成する第２の生成手段と、
前記第１の機能部の前記複数の動作状態での消費電力の情報と前記第１の生成手段により生成された前記履歴情報とを取得して当該第１の機能部の消費電力量を演算し、前記第２の機能部の前記複数の動作状態での消費電力の情報と前記第２の生成手段により生成された前記履歴情報とを取得して当該第２の機能部の消費電力量を演算する演算手段と、
を含む電力管理装置。
【請求項６】
前記演算手段は、前記第１の機能部および前記第２の機能部が互いに連動して動作することになる指示である第１の動作指示と当該第１の機能部が単独で動作することになる指示である第２の動作指示とによって当該第１の機能部および当該第２の機能部が動作したときに、当該第１の機能部が当該第１の動作指示および当該第２の動作指示により動作して消費した消費電力量を演算すると共に、当該第２の機能部が当該第１の動作指示により動作して消費した消費電力量を演算することを特徴とする請求項５に記載の電力管理装置。
【請求項７】
前記演算手段は、前記第１の機能部および前記第２の機能部の前記複数の動作状態のいずれかに遷移する時期に関する設定を変更したときに、当該設定の条件下での消費電力量を、前記履歴情報を用いて予測値として演算することを特徴とする請求項５または６に記載の電力管理装置。
【請求項８】
前記設定の条件下での前記消費電力量を、当該設定の前の条件下での当該消費電力量と共に出力する出力手段を更に含むことを特徴とする請求項７に記載の電力管理装置。
【発明の詳細な説明】
【技術分野】
【０００１】
本発明は、画像処理装置および電力管理装置に関するものである。
【背景技術】
【０００２】
例えば、特許文献１には、コピーモードやプリントモードを備え、各動作モードの動作履歴を正確に計時し、計時された計時値に基づきコピーモードやプリントモードなどの様々なジョブを処理する複合機の電力に係るログ情報を作成する複合機が開示されている。
【０００３】
【特許文献１】特開２００３−３０９６８４号公報
【発明の開示】
【発明が解決しようとする課題】
【０００４】
ここで、画像形成装置を構成する例えば画像入力装置や画像出力装置等のデバイスの動作設定を変更することで消費電力量を低減することが可能である。そして、ユーザがデバイスの動作設定を省電力になるように変更しようとする際に、省電力を図ることが可能な設定を画面に表示して提案する形式が考えられる。ところが、省電力を図ることが可能な設定はユーザの使用態様によって異なるものになる。そのため、複数の設定例を予め決めておき、製品出荷時にその設定例を画像形成装置の格納部に格納させるようにしても、その設定例によって省電力の効果を十分に得ることが難しい場合が考えられる。
【０００５】
本発明は、省電力設定が行われる際に省電力の効果を予め確認することが可能な画像処理装置および電力管理装置を提供することを目的とする。
【課題を解決するための手段】
【０００６】
請求項１に記載の発明は、第１の機能を実現する構成を備え、電力を消費して当該第１の機能を実現する動作状態を含む複数の動作状態を有し、当該複数の動作状態の遷移によって消費電力が増減する第１の機能部と、第２の機能を実現する構成を備え、電力を消費して当該第２の機能を実現する動作状態を含む複数の動作状態を有し、当該複数の動作状態の遷移によって消費電力が増減する第２の機能部と、前記第１の機能部について前記複数の動作状態のいずれかに遷移した履歴を示す履歴情報を生成する第１の生成部と、前記第２の機能部について前記複数の動作状態のいずれかに遷移した履歴を示す履歴情報を生成する第２の生成部と、前記第１の機能部の前記複数の動作状態での消費電力の情報と前記第１の生成部により生成された前記履歴情報とを取得して当該第１の機能部の消費電力量を演算し、前記第２の機能部の前記複数の動作状態での消費電力の情報と前記第２の生成部により生成された前記履歴情報とを取得して当該第２の機能部の消費電力量を演算する演算部と、を含む画像処理装置である。
請求項２に記載の発明は、前記第１の機能部と前記第２の機能部とが互いに連動して動作することになる指示である第１の動作指示および、当該第１の機能部が単独で動作することになる指示である第２の動作指示を取得する取得部を更に含み、前記演算部は、前記第１の機能部が前記第１の動作指示および前記第２の動作指示により動作して消費した消費電力量を演算し、前記第２の機能部が当該第１の動作指示により動作して消費した消費電力量を演算することを特徴とする請求項１に記載の画像処理装置である。
請求項３に記載の発明は、前記第１の機能部および前記第２の機能部の前記複数の動作状態のいずれかに遷移する時期に関する設定の変更を受け付ける受付部を更に含み、前記演算部は、前記受付部で受け付けた前記設定の条件下での消費電力量を、前記履歴情報を用いて予測値として演算することを特徴とする請求項１または２に記載の画像処理装置である。
請求項４に記載の発明は、前記設定の条件下での前記消費電力量を、当該設定の前の条件下での当該消費電力量と共に出力する出力部を更に含むことを特徴とする請求項３に記載の画像処理装置である。
【０００７】
請求項５に記載の発明は、消費電力量が互いに異なる複数の動作状態を有する第１の機能部について当該複数の動作状態のいずれに遷移したかの履歴を示す履歴情報を生成する第１の生成手段と、消費電力量が互いに異なる複数の動作状態を有する第２の機能部について当該複数の動作状態のいずれに遷移したかの履歴を示す履歴情報を生成する第２の生成手段と、前記第１の機能部の前記複数の動作状態での消費電力の情報と前記第１の生成手段により生成された前記履歴情報とを取得して当該第１の機能部の消費電力量を演算し、前記第２の機能部の前記複数の動作状態での消費電力の情報と前記第２の生成手段により生成された前記履歴情報とを取得して当該第２の機能部の消費電力量を演算する演算手段と、を含む電力管理装置である。
請求項６に記載の発明は、前記演算手段は、前記第１の機能部および前記第２の機能部が互いに連動して動作することになる指示である第１の動作指示と当該第１の機能部が単独で動作することになる指示である第２の動作指示とによって当該第１の機能部および当該第２の機能部が動作したときに、当該第１の機能部が当該第１の動作指示および当該第２の動作指示により動作して消費した消費電力量を演算すると共に、当該第２の機能部が当該第１の動作指示により動作して消費した消費電力量を演算することを特徴とする請求項５に記載の電力管理装置である。
請求項７に記載の発明は、前記演算手段は、前記第１の機能部および前記第２の機能部の前記複数の動作状態のいずれかに遷移する時期に関する設定を変更したときに、当該設定の条件下での消費電力量を、前記履歴情報を用いて予測値として演算することを特徴とする請求項５または６に記載の電力管理装置である。
請求項８に記載の発明は、前記設定の条件下での前記消費電力量を、当該設定の前の条件下での当該消費電力量と共に出力する出力手段を更に含むことを特徴とする請求項７に記載の電力管理装置である。
【発明の効果】
【０００８】
請求項１によれば、省電力設定が行われる際に省電力の効果を予め確認することが可能になる。
請求項２によれば、コンカレント動作の場合であっても省電力の効果を予め確認することが可能になる。
請求項３によれば、第１の機能部と第２の機能部の各々について設定変更をした場合の消費電力量を算出することが可能になる。
請求項４によれば、設定変更の前後の消費電力量をユーザに通知することが可能になる。
請求項５によれば、省電力設定が行われる際に省電力の効果を予め確認することが可能になる。
請求項６によれば、コンカレント動作の場合であっても省電力の効果を予め確認することが可能になる。
請求項７によれば、第１の機能部と第２の機能部の各々について設定変更をした場合の消費電力量を算出することが可能になる。
請求項８によれば、設定変更の前後の消費電力量をユーザに通知することが可能になる。
【発明を実施するための最良の形態】
【０００９】
以下、添付図面を参照して、本発明の実施の形態について詳細に説明する。
図１は、本実施の形態の電力管理システムＰＳの構成の一例を示す図である。
同図に示すように、この電力管理システムＰＳは、複数の端末装置１０と画像処理装置の一例としての画像形成装置２０とが通信網ＮＷに互いに接続されることにより構成されている。この電力管理システムＰＳは、例えば複数の端末装置１０の各々から印刷しじが通信網ＮＷを介して画像形成装置２０に送信されると、画像形成装置２０は、その印刷指示を受けて用紙に印刷を行うように構成されている。このように、電力管理システムＰＳは、通信網ＮＷの環境下で画像形成装置２０をユーザが使用することが可能に構成されている。
【００１０】
端末装置１０は、画像データを作成し外部に出力する機器であり、例えば、ソフトウェアを実行して演算等を行うコンピュータ本体、ディスプレイ等の表示装置、コンピュータ本体に対して入力を行うための入力装置等により構成される。この端末装置１０としては、例えば、パーソナルコンピュータやワークステーション、その他のコンピュータが用いられる。
【００１１】
画像形成装置２０は、媒体に画像を印刷し、印刷文書として出力する装置である。また、画像形成装置２０は、画像読取処理等の機能を実現するための各種のデバイスを備えている。その詳細については、後述する。
【００１２】
通信網ＮＷとしては、例えばイーサネット（登録商標）(Ethernet（登録商標）)によるＬＡＮ(Local Area Network)で構成することができる。更に説明すると、この通信網ＮＷを介して、端末装置１０と画像形成装置２０との間でデータを相互に送受信することができる。すなわち、端末装置１０は、画像形成装置２０に対して通信網ＮＷを介して印刷データを送信して印刷を指示することができる。また、画像形成装置２０は、通信網ＮＷに接続されている端末装置１０の数を検知することができる。
なお、端末装置１０と画像形成装置２０との間で通信網ＮＷを介してデータ転送を行う際に、送信元と送信先との間でデータ通信を確立するためのネゴシエーション(negotiation)を行う。このネゴシエーションという用語は、ハードウェアデバイス同士が通信（通信条件）に関する情報交換を行うものともいうことができる。
【００１３】
図２は、画像形成装置２０の構成例を示すブロック図である。
同図に示すように、本実施の形態での画像形成装置２０は、取得された画像を処理して用紙に印刷する印刷装置２１と、予め定められた画像を表示する表示画面やユーザが操作する操作パネル等を有するＵＩ装置２２と、を備えている。また、画像形成装置２０は、処理すべき画像を読み取るスキャナ等で構成される画像読取装置２３と、画像形成装置２０の全体を制御する制御装置２４と、を備えている。このように、画像形成装置２０は、画像読取機能、印刷機能およびＵＩ機能のためのデバイス（第１の機能部、第２の機能部）として、印刷装置２１、ＵＩ装置２２および画像読取装置２３を備えている。
なお、印刷装置２１は、トナー像を用紙等の媒体上に形成する電子写真方式を用いて印刷を行う構成を採用することができるが、その他の方式、例えばインクを用紙等の媒体に吐出して像を形成するインクジェット方式を用いてもよい。
【００１４】
なお、ＵＩ装置２２は、プリントジョブ（第２の動作指示）やコピージョブ（第１の動作指示）等の動作指示を取得する取得部の一部を構成するものである。また、ＵＩ装置２２は、複数のモード（動作状態）のいずれかに遷移する時期に関する設定の変更を受け付ける受付部の一部を構成するものでもある。また、後述する演算部３２による演算結果（消費電力量）を出力する出力部の一部を構成するものでもある。
【００１５】
制御装置２４は、デバイスごとの状態遷移の状況が記録されるログ（複数のモードのいずれかに遷移した履歴を示す履歴情報）を生成するログ生成部３１と、ログ生成部３１により生成されたログを用いて演算を行う演算部３２と、端末装置１０との間で通信網ＮＷを介して各種のデータを送受信するための通信制御部３３と、を備えている。
なお、通信制御部３３は、ＵＩ装置２２と同様に、取得部の一部を構成するものであり、受付部の一部を構成するものであり、出力部の一部を構成するものでもある。ログ生成部３１、演算部３２および通信制御部３３を、例えばＣＰＵ(Central Processing Unit)によって構成することが考えられる。
【００１６】
また、制御装置２４は、ログ生成部３１により生成されたログを格納し、演算部３２による計算に用いられる各種のデータや計算式、計算結果を格納し、通信制御部３３による送受信に用いる各種のデータを格納する格納部３４を備えている。格納部３４を、例えばＲＡＭ(Random Access Memory)およびＲＯＭ(Read-Only Memory)で構成することが考えられる。
さらに説明すると、格納部３４は、稼動状態により電力の増減があるデバイスごとの各状態での消費電力量のテーブル（電力情報テーブル）を格納している。なお、制御装置２４は、印刷装置２１、ＵＩ装置２２および画像読取装置２３に対して電力供給の制御を行う部分ということもできる。
【００１７】
ログ生成部３１は、印刷装置２１についてのログを生成する印刷装置用ログ生成部４１と、ＵＩ装置２２についてのログを生成するＵＩ装置用ログ生成部４２と、画像読取装置２３についてのログを生成する画像読取装置用ログ生成部４３と、制御装置２４についてのログを生成する制御装置用ログ生成部４４と、を備えている。
なお、印刷装置用ログ生成部４１、ＵＩ装置用ログ生成部４２、画像読取装置用ログ生成部４３または制御装置用ログ生成部４４によって、第１の生成部および第２の生成部を構成することができる。
【００１８】
さらに説明すると、画像形成装置２０は、デバイスごとに、消費電力の異なる複数の電力モード（動作モード、動作状態）を有する。例えば、印刷装置２１では、電力モードとして、発生したジョブを実行するプリントモードと、ジョブの発生に備えて待機するレディーモード（スタンバイモード）と、がある。また、印刷装置２１は、レディーモードが予め定められた時間継続されると消費電力を低減するために遷移するスリープモードと、スリープモードの時にジョブが発生すると遷移するウォームアップモードと、がある。プリントモード及びレディーモードを、通常の動作状態で動作するモードとしての通常モードということができ、また、スリープモードを省電力モード（節電モード）ということができる。通常モードの消費電力よりも省電力モードの消費電力の方が低い。
ＵＩ装置２２では、電力モードとして、上述したレディーモードおよびスリープモードがある。
画像読取装置２３では、電力モードとして、画像を読み取るスキャンモードがあり、また、上述したレディーモードおよびスリープモードがある。
【００１９】
図３は、制御装置２４の格納部３４に格納されている電力情報テーブル５１，５２，５３，５４の一例を説明する図である。
同図に示す電力情報テーブル５１は、印刷装置２１についてのものであり、スリープモードのときの消費電力は１Ｗであり、また、スタンバイモード（レディーモード）のときには３０Ｗ、ウォームアップモードのときには８００Ｗである。そして、プリントモードのときには、用紙がＡ４判であれば、１ページ当たり６００Ｗｈである。このように、モードごとに消費電力が異なり、モードの遷移があると、印刷装置２１の消費電力が増減することになる。
また、同図に示す電力情報テーブル５２は、ＵＩ装置２２についてのものであり、スリープモードのときの消費電力は０．１Ｗであり、また、スタンバイモードのときには５Ｗである。ＵＩ装置２２も、モードの遷移があると、消費電力が増減することになる。
なお、同図に示す電力情報テーブル５３は、画像読取装置２３についてのものであり、同図に示す電力情報テーブル５４は、制御装置２４についてのものである。
【００２０】
図４は、印刷装置２１、ＵＩ装置２２、画像読取装置２３および制御装置２４の各モードの遷移例を説明するタイムチャートである。なお、同図のｔは時間を示す。
同図に示すタイムチャートの例では、印刷装置２１、ＵＩ装置２２、画像読取装置２３および制御装置２４がスリープモードのときにプリントジョブが発生し、プリントジョブが完了する前にさらにコピージョブが発生した場合を示している。すなわち、このタイムチャートでは、一つのジョブが動作するだけの単体動作ではなく、複数のジョブが並行に動作するコンカレント(concurrent)動作の場合を示している。なお、他のコンカレント動作の例としては、画像形成装置１０がファクシミリ装置（ファクシミリ機能）を備える構成において、ファクシミリ受信中にＵＩ装置２２にてユーザがファクシミリ送信する場合が考えられる。
なお、プリントジョブは、端末装置１０から送信されたものであり、通信網ＮＷを介して通信制御部３３が受信する。また、コピージョブは、ユーザにより操作された指示をＵＩ装置２２が受け付けたものである。付言すると、コピージョブは、画像読取装置２３および印刷装置２１が互いに連動して動作することとなる指示である。プリントジョブは、印刷装置２１が単独で動作することとなる指示である。
【００２１】
プリントジョブが発生すると、印刷装置２１、ＵＩ装置２２、画像読取装置２３および制御装置２４はスリープモードから他のモードに移行する。すなわち、印刷装置２１は、スリープモードからウォームアップモードに遷移した後にプリントモードに遷移する。また、ＵＩ装置２２、画像読取装置２３および制御装置２４は、レディーモードに遷移する。
コピージョブは、画像読取装置２３がスキャンし、その画像を印刷装置２１が印刷することで実行される。したがって、コピージョブが発生すると、まず、画像読取装置２３がレディーモードからスキャンモードに移行する。そして、印刷装置２１は、プリントジョブの実行により既にプリントモードであるので、モード遷移することなく、スキャンした画像の印刷が行われる。すなわち、単体動作であれば、コピージョブが発生すると、印刷装置２１は、ウォームアップモードを経てプリントモードに遷移するものの、コンカレント動作であるので、モード遷移が不要である。
【００２２】
図５は、制御装置２４のログ生成部３１により生成されて格納部３４に格納されるログ６１，６２，６３，６４を説明する図である。
同図に示すログ６１，６２，６３，６４は、図４に示すタイムチャートの場合に生成されたものである。ログ６１は、印刷装置用ログ生成部４１により生成されたログであり、ログ６２は、ＵＩ装置用ログ生成部４２により生成されたログであり、ログ６３は、画像読取装置用ログ生成部４３により生成されたログである。また、ログ６４は、制御装置用ログ生成部４４により生成されたログである。
【００２３】
具体的に説明すると、ログ６１では、スリープモードが１９５４秒間（３２分３４秒間）継続し、その後にウォームアップモードに遷移して１０秒後に、Ａ４用紙への印刷を５ページ分行ったことを示している。そして、レディーモードに遷移して１８００秒間（３０分間）継続し、その後にスリープモードに遷移して３６００秒間（１時間）継続したことを示している。
また、ログ６２では、スリープモードが１９５４秒間（３２分３４秒間）継続し、その後にレディーモードに遷移して１８４０秒間（３０分４０秒間）継続し、その後にスリープモードに遷移して３６００秒間（１時間）継続したことを示している。
【００２４】
図５に示すログ６１では、レディーモードが１８００秒間継続するとスリープモードに遷移するように設定されている。すなわち、節電設定が３０分間である。このような節電設定の場合における印刷装置２１の消費電力量ｃは、実測値として次のように求めることができる。なお、このような演算は、演算部３２により行われる。
【００２５】
印刷装置２１の実測値としての消費電力量ｃのうち、スリープモードでの消費電力量ｃ１は、
１Ｗ×（１９５４秒＋３６００秒）／３６００秒＝１．５４Ｗｈ
である。また、ウォームアップモードでの消費電力量ｃ２は、
８００Ｗ×１０秒／３６００秒＝２．２２Ｗｈ
である。また、プリントモードでの消費電力量ｃ３は、
６００Ｗｈ×５ページ＝３０００Ｗｈ
である。また、レディーモードでの消費電力量ｃ４は、
３０Ｗ×１８００秒／３６００秒＝１５Ｗｈ
である。したがって、印刷装置２１の消費電力量ｃは、
ｃ＝ｃ１＋ｃ２＋ｃ３＋ｃ４＝３０１８．７６Ｗｈ
である。
【００２６】
また、図４に示すタイムチャート例では、スリープモードのＵＩ装置２２は、プリントジョブが発生するとレディーモードに遷移するように設定されている。このような設定の場合におけるＵＩ装置２２の消費電力量ｄは、実測値として次のように求めることができる。なお、このような演算は、演算部３２により行われる。
【００２７】
ＵＩ装置２２の実測値としての消費電力量ｄのうち、スリープモードでの消費電力量ｄ１は、
０．１Ｗ×（１９５４秒＋３６００秒）／３６００秒＝０．１５Ｗｈ
である。また、レディーモードでの消費電力量ｄ２は、
５Ｗ×１８４０秒／３６００秒＝２．５６Ｗｈ
である。したがって、ＵＩ装置２２の消費電力量ｄは、
ｄ＝ｄ１＋ｄ２＝２．７１Ｗｈ
である。
【００２８】
他のデバイスとしての画像読取装置２３および制御装置２４についても、演算部３２が同様の演算によって消費電力量を算出する。そして、演算部３２は、すべてのデバイスの消費電力量を加算することで、画像形成装置２０の予め定められた期間内での消費電力量を算出する。
【００２９】
ここで、ユーザは、ＵＩ装置２２を操作したり、端末装置１０を用いたりすることによって、消費電力量を低減するように画像形成装置２０の設定を変更する場合を説明する。このような設定の変更としては、例えば、節電移行時間を変更したり、印刷装置２１はプリントするまでウォームアップしない設定に変更したり、ＵＩ装置２２はプリントジョブでは立ち上げない設定に変更したりすることが考えられる。
【００３０】
画像形成装置２０の設定変更として、まず節電移行時間の変更について説明する。
図６は、図４のタイムチャートの場合に、レディーモードからスリープモードに遷移する節電時間を変更するときの消費電力量を説明する図である。また、図７は、図５のログが生成された場合に、レディーモードからスリープモードに遷移する節電時間を変更するときの消費電力量を説明する図である。
例えば、図６および図７に示すように、節電設定が３０分（１８００秒）から１分（６０秒）に変更されると、１分間以内にジョブが発生しないという条件の下では、レディーモードのままの時間が１７４０秒だけ少なくなり、スリープモードの時間がその分多くなる。印刷装置２１のみならず、ＵＩ装置２２、画像読取装置２３および制御装置２４についてもスリープモードの時間が長くなるので、画像形成装置２０の全体の消費電力量を低減することができる。
【００３１】
具体的に説明すると、節電設定が変更された後の印刷装置２１の消費電力量ｅは、次のように求めることができる。なお、この消費電力量ｅは、予測値である。そして、このような予測値の演算もまた、演算部３２により行われる。
印刷装置２１の予測値としての消費電力量ｅのうち、スリープモードでの消費電力量ｅ１は、
１Ｗ×（１９５４秒＋１７４０秒＋３６００秒）／３６００秒＝２．０３Ｗｈ
になる。ウォームアップモードでの消費電力量ｅ２は２．２２Ｗｈで、上述した消費電力量ｃ２と同じである。プリントモードでの消費電力量ｅ３は３０００Ｗｈで、上述した消費電力量ｃ２と同じである。また、レディーモードでの消費電力量ｅ４は、
３０Ｗ×６０秒／３６００秒＝０．５Ｗｈ
になる。したがって、節電設定を変更した場合の印刷装置２１の予測値としての消費電力量ｅは、
ｅ＝ｅ１＋ｅ２＋ｅ３＋ｅ４＝３００４．７５Ｗｈ
になる。
【００３２】
そして、ＵＩ装置２２、画像読取装置２３および制御装置２４についても、演算部３２が同様の演算によって予測値としての消費電力量を算出する。そして、演算部３２は、すべてのデバイスの消費電力量を加算することで、画像形成装置２０の予め定められた期間内での予測値としての消費電力量を算出する。
このようにして、実測値と節電設定変更後の予測値とを求め、その差を算出することにより、節電設定により節電される消費電力量を取得することができる。
【００３３】
図８は、節電設定を変更する場合にＵＩ装置２２に表示される一例を示す図である。
同図に示すように、ＵＩ装置２２の表示画面には、予め定められた期間内の実測値である消費電力量を表示すると共に、節電設定の変更内容および節電設定後の予測値としての消費電力量を具体的な数値で表示する。
このような表示を行うことで、予測値としての消費電力量をユーザは把握することができる。すなわち、過去の画像形成装置２０の使用態様を基にして、消費電力量を低減することができたであろう設定をユーザは把握する。このため、ユーザは、将来の使用態様を推測して設定を変更することができる。
【００３４】
次に、ＵＩ装置２２の設定変更について説明する。
図９は、図４のタイムチャートの場合に、プリントジョブが発生してもＵＩ装置２２はスリープモードから遷移しない設定に変更するときの消費電力量を説明する図である。なお、同図のｔは時間を示す。また、図１０は、図５のログが生成された場合に、プリントジョブが発生してもＵＩ装置２２はスリープモードから遷移しない設定に変更するときの消費電力量を説明する図である。
スリープモードのＵＩ装置２２について、何らかのジョブ(本実施の形態ではプリントジョブ)が発生したときにレディーモードに遷移する設定を変更することで、ＵＩ装置２２の消費電力量を低減することが可能である。
【００３５】
設定変更の具体例としては、スリープモードのＵＩ装置２２はコピージョブが発生するまでレディーモードに遷移しないようにすることである。言い換えると、スリープモードのＵＩ装置２２はプリントジョブが発生してもレディーモードに遷移しないようにすることである。プリントジョブは、通信網ＮＷを介して端末装置１０が画像形成装置２０に印刷指示を行うものであり、ＵＩ装置２２がレディーモードに遷移しなくてもプリントジョブを実行することに支障がない。
このようにＵＩ装置２２の設定を変更した場合には、図９に示すように、ＵＩ装置２２は、プリントジョブが発生してからコピージョブが発生するまでの時間（本実施の形態の例では１５０秒間）レディーモードに遷移するタイミングを遅らせることができる。
【００３６】
そして、仮にそのような設定変更を行っていたら、図１０に示すように、ＵＩ装置２２では、スリープモードの時間が１９５４秒から２１０４秒に増え、レディーモードの時間が１８４０秒から１６９０秒に減る。
具体的な演算の内容を説明する。ＵＩ装置２２についての消費電力量ｆは、実測値として次のように求めることができる。なお、このような演算は、演算部３２により行われる。
【００３７】
ＵＩ装置２２についての消費電力量ｆのうち、スリープモードでの消費電力量ｆ１は、
０．１Ｗ×（２１０４秒＋３６００秒）／３６００秒＝０．１６Ｗｈ
である。また、レディーモードでの消費電力量ｆ２は、
５Ｗ×１６９０秒／３６００秒＝２．３５Ｗｈ
である。したがって、ＵＩ装置２２の消費電力量ｆは、
ｆ＝ｆ１＋ｆ２＝２．５１Ｗｈ
である。ＵＩ装置２２の実測値としての消費電力量ｄは２．７１Ｗｈであるので、上述した設定を変更しておけば０．２Ｗｈの消費電力量を低減することが可能であったことをユーザは把握できる。
【００３８】
図１１は、ＵＩ装置２２の設定を変更する場合にＵＩ装置２２に表示される一例を示す図である。
同図に示すように、ＵＩ装置２２の表示画面には、予め定められた期間内の実測値である消費電力量を表示すると共に、設定変更の内容および設定変更後の予測値としての消費電力量を表示する。
【００３９】
本実施の形態では、印刷装置２１の実測値としての消費電力量ｃを基にして、上述した節電設定を変更した場合の消費電力量ｅを予測値として算出することができ、その算出結果が図８に示すように表示される。また、ＵＩ装置２２の実測値としての消費電力量ｄを基にして、ＵＩ装置２２についての設定を上述したように変更した場合の消費電力量ｆを予測値として算出することができ、その算出結果が図１１に示すように表示される。したがって、省電力設定の変更を行う表示画面で、指定した期間内での実測値としての消費電力量と、変更した場合の予測値としての消費電力量とを表示することができる。
【００４０】
さらに説明すると、コンカレント動作を行うことになる複数のジョブが発生した場合に、ジョブ単位でログを生成する構成では、このような予測値を算出することができない。本実施の形態では、デバイス単位でログを生成する構成を採用することによって、予測値を算出することが可能である。すなわち、本実施の形態によれば、省電力設定をする際の予測値としての消費電力量を算出できる状況を増やすことが可能になる。
【００４１】
さらにまた説明すると、ジョブ単位でログを生成する構成では予測値を算出できない場合としては、上述したコンカレント動作の場合のほかにも考えられる。例えば、プリントジョブが発生したときにＵＩ装置２２をレディーモードに遷移させるかスリープモードのままにするかの設定によって消費電力量が変わる。ところが、ジョブ単位でログを生成する構成では、そのようなＵＩ装置２２のオン／オフ設定を変更したときの予測値としての消費電力量を算出することができない。本実施の形態では、このような場合にも対応することが可能になる。
【図面の簡単な説明】
【００４２】
【図１】本実施の形態の電力管理システムの構成の一例を示す図である。
【図２】画像形成装置の構成例を示すブロック図である。
【図３】制御装置の格納部に格納されている電力情報テーブルの一例を説明する図である。
【図４】印刷装置、ＵＩ装置、画像読取装置および制御装置の各モードの遷移例を説明するタイムチャートである。
【図５】制御装置のログ生成部により生成されて格納部に格納されるログを説明する図である。
【図６】図４のタイムチャートの場合に、レディーモードからスリープモードに遷移する節電時間を変更するときの消費電力量を説明する図である。
【図７】図５のログが生成された場合に、レディーモードからスリープモードに遷移する節電時間を変更するときの消費電力量を説明する図である。
【図８】節電設定を変更する場合にＵＩ装置に表示される一例を示す図である。
【図９】図４のタイムチャートの場合に、プリントジョブが発生してもＵＩ装置はスリープモードから遷移しない設定に変更するときの消費電力量を説明する図である。
【図１０】図５のログが生成された場合に、プリントジョブが発生してもＵＩ装置はスリープモードから遷移しない設定に変更するときの消費電力量を説明する図である。
【図１１】設定を変更する場合にＵＩ装置に表示される一例を示す図である。
【符号の説明】
【００４３】
１０…端末装置、２０…画像形成装置、２１…印刷装置、２２…ＵＩ装置、２３…画像読取装置、２４…制御装置、３１…ログ生成部、３２…演算部、３３…通信制御部、３４…格納部、４１…印刷装置用ログ生成部、４２…ＵＩ装置用ログ生成部、４３…画像読取装置用ログ生成部、４４…制御装置用ログ生成部、５１，５２，５３，５４…電力情報テーブル、６１，６２，６３，６４…ログ、ＮＷ…通信網
【図１】
2010041529.tif 000003
【図２】
2010041529.tif 000004
【図３】
2010041529.tif 000005
【図４】
2010041529.tif 000006
【図５】
2010041529.tif 000007
【図６】
2010041529.tif 000008
【図７】
2010041529.tif 000009
【図８】
2010041529.tif 000010
【図９】
2010041529.tif 000011
【図１０】
2010041529.tif 000012
【図１１】
2010041529.tif 000013